(57)【要約】【課題】管轄するネットワークエリア内外のＳＩＰ通信装置間で行われる通信のうち、ユーザ等が希望する特定の通信のみについて通信管理情報を取得することができるＳＩＰプロキシサーバを提供すること。【解決手段】本発明に係るＳＩＰプロキシサーバ１は、管轄するＬＡＮ２内のＳＩＰ通信装置４と管轄するＬＡＮ２外のＳＩＰ通信装置３０との間でＩＮＶＩＴＥメッセージを転送する際に、転送するＩＮＶＩＴＥメッセージから所定の識別情報を検出した場合に、当該ＩＮＶＩＴＥメッセージに係る通信の通信管理情報を記録する。【選択図】図３
2006303576.tif 000002
【特許請求の範囲】
【請求項１】
管轄するネットワークエリア内のＳＩＰ通信装置と管轄するネットワークエリア外のＳＩＰ通信装置との間でＳＩＰメッセージを転送する際に、転送するＳＩＰメッセージから所定の識別情報を検出する検出手段と、該手段により所定の識別情報を検出した場合に、当該ＳＩＰメッセージに係る通信の通信管理情報を記録する通信管理情報記録手段と、を備えることを特徴とするＳＩＰプロキシサーバ。
【請求項２】
前記通信管理情報記録手段が記録する前記通信管理情報には、管轄するネットワークエリア内のＳＩＰ通信装置の宛先情報が含まれており、
管轄するネットワークエリア内のＳＩＰ通信装置の宛先情報と通信管理情報の出力要求とを受付ける手段と、受付けた前記出力要求に応じて、前記通信管理情報記録手段により記録した通信管理情報から受付けた前記宛先情報に関連するものを抽出して要求元へ出力する出力手段と、を備えることを特徴とする請求項１記載のＳＩＰプロキシサーバ。
【請求項３】
前記ＳＩＰメッセージは、通信開始要求のＳＩＰメッセージであることを特徴とする請求項１又は２記載のＳＩＰプロキシサーバ。
【発明の詳細な説明】
【技術分野】
【０００１】
本発明は、ＳＩＰ（Session  Initiation  Protocol）プロキシサーバに関し、詳しくは、ＳＩＰプロキシサーバが管轄するネットワークエリア内のＳＩＰ通信装置と前記ネットワークエリア外のＳＩＰ通信装置との間でＳＩＰメッセージの転送処理を行うＳＩＰプロキシサーバに関する。
【背景技術】
【０００２】
近年、ＳＩＰメッセージをやり取りしてメディアセッションを確立した上で、画像データ等のデータ通信を行う通信装置（以下「ＳＩＰ通信装置」という。）が提案されている（例えば、特許文献１乃至３を参照。）。ＳＩＰ通信装置間でのＳＩＰメッセージの転送は、ＳＩＰプロキシサーバ（例えば、特許文献１乃至３のＳＩＰサーバ）によって行われる。ＳＩＰ通信装置をＬＡＮに設置し、前記ＳＩＰプロキシサーバを、例えば特許文献４に開示されているようなリバースプロキシサーバ（２０１）のように、ＬＡＮを出入りするパケットの監視できる所に設置すれば、ＬＡＮ内外の通信についてアクセス制御を行うことができる。例えば、ＬＡＮ外からＬＡＮ内への不正なアクセスやＬＡＮ内からＬＡＮ外の特定のアドレスへのアクセスを禁止したり、ＬＡＮを出入りするパケットの転送優先度を制御することができる。
【０００３】
【特許文献１】特開２００４−１７２８５３号公報
【特許文献２】特開２００４−２２１９４５号公報
【特許文献３】特開２００４−２６０５３５号公報
【特許文献４】特開２００３−１８６７６４号公報
【発明の開示】
【発明が解決しようとする課題】
【０００４】
現在、企業等の様々な組織において、ネットワークが構築され、ネットワーク単位で、通信、セキュリティ等の管理が行われるようになっている。ＳＩＰ通信装置が行うＳＩＰ通信についてもＳＩＰプロキシサーバ等によりネットワーク単位で一元的に管理することができれば便利である。特に、ユーザ等が希望する特定のＳＩＰ通信のみを対象とした管理を行うことができれば、管理効率の向上が見込まれる。
【０００５】
しかしながら、従来より提案されているＳＩＰプロキシサーバは、基本的には、パケットを中継するだけのものであり、ＬＡＮ内外のＳＩＰ通信装置間で行われる特定の通信について通信履歴等の通信管理情報を取得できるものは未だに提案されていない。このため、特定のＳＩＰ通信のみを対象としたネットワーク単位での一元的な通信管理を行うことは容易ではなかった。
【０００６】
本発明は、かかる問題に鑑みてなされたものであり、管轄するネットワークエリア内外のＳＩＰ通信装置間で行われる通信のうち、ユーザ等が希望する特定の通信のみについて通信管理情報を取得することができるＳＩＰプロキシサーバを提供することを目的とする。
【課題を解決するための手段】
【０００７】
請求項１記載のＳＩＰプロキシサーバは、管轄するネットワークエリア内のＳＩＰ通信装置と管轄するネットワークエリア外のＳＩＰ通信装置との間でＳＩＰメッセージを転送する際に、転送するＳＩＰメッセージから所定の識別情報を検出する検出手段と、該手段により所定の識別情報を検出した場合に、当該ＳＩＰメッセージに係る通信の通信管理情報を記録する通信管理情報記録手段と、を備えることを特徴としている。
【０００８】
請求項２記載のＳＩＰプロキシサーバは、請求項１記載のＳＩＰプロキシサーバにおいて、前記通信管理情報記録手段が記録する前記通信管理情報には、管轄するネットワークエリア内のＳＩＰ通信装置の宛先情報が含まれており、管轄するネットワークエリア内のＳＩＰ通信装置の宛先情報と通信管理情報の出力要求とを受付ける手段と、受付けた前記出力要求に応じて、前記通信管理情報記録手段により記録した通信管理情報から受付けた前記宛先情報に関連するものを抽出して要求元へ出力する出力手段と、を備えることを特徴としている。
【０００９】
請求項３記載のＳＩＰプロキシサーバは、請求項１又は２記載のＳＩＰプロキシサーバにおいて、前記ＳＩＰメッセージは、通信開始要求のＳＩＰメッセージであることを特徴としている。
【発明の効果】
【００１０】
請求項１記載のＳＩＰプロキシサーバによれば、ＳＩＰ通信装置において送信するＳＩＰメッセージに、所定の識別情報を記述することで、当該ＳＩＰ通信の通信管理情報をＳＩＰプロキシサーバにおいて記録させることができる。これにより、ＳＩＰプロキシサーバが管轄するネットワークエリア内外のＳＩＰ通信装置間で行われる通信のうち、ユーザ等が希望する特定の通信のみについての通信管理情報を取得することができるので、特定のＳＩＰ通信の通信管理情報をネットワーク単位で一元管理することができる。
【００１１】
請求項２記載のＳＩＰプロキシサーバによれば、管轄するネットワークエリア内の特定のＳＩＰ通信装置に関する通信管理情報のみを出力させることができる。
【００１２】
請求項３記載のＳＩＰプロキシサーバによれば、ＳＩＰメッセージのうち最初に受信するものによって当該ＳＩＰ通信の通信管理情報を記録するか否かを決定することができるので、ＳＩＰメッセージの送受信開始当初から通信管理情報の記録を開始することができる。
【発明を実施するための最良の形態】
【００１３】
以下、本発明の第１の実施の形態に係るＳＩＰプロキシサーバについて説明する。図１に本発明の実施の形態に係るＳＩＰプロキシサーバ１が管轄するＬＡＮ２内の構成例を示す。ＬＡＮ２には、ＳＩＰプロキシサーバ１のほかに、複数のＳＩＰ通信装置４、複数のクライアントＰＣ５が接続されている。ＳＩＰプロキシサーバ１は、ルータ３と直接接続されており、ＬＡＮ２外（インターネット）からルータ３を通じてＬＡＮ２内に入る全てのパケットを監視できるように接続されている。
【００１４】
ＳＩＰプロキシサーバ１は、図２に示すように、制御部６、通信部７、識別情報記憶部８、操作部９、表示部１０、補助記憶装置１１等を備える。制御部６は、図示しないＣＰＵ（中央処理装置）、ＲＯＭ（リードオンリーメモリー）、ＲＡＭ（ランダムアクセスメモリー）等で構成され、ＲＯＭに格納された制御プログラムに基づいてＣＰＵが発行する命令にしたがって、ＳＩＰプロキシサーバ１を構成する各部の動作を制御する。通信部７は、ＮＩＣ（ネットワークインタフェースカード）を備え、ＬＡＮ２内に接続されたＳＩＰ通信装置４、クライアントＰＣ５、ルータ３等との通信を行う。
【００１５】
識別情報記憶部８は、例えばＲＡＭからなり、操作部９等におけるユーザの所定操作により登録された１又は複数の識別情報が記憶されるようになっている。なお、ＳＩＰプロキシサーバ１は、前記識別情報に基づく処理動作を実行するようになっているが、その詳細については、後に説明する。
【００１６】
操作部９は、キーボード、マウス等の入力装置で構成される。表示部１０は、例えばＬＣＤ（Ｌｉｑｕｉｄ  Ｃｒｙｓｔａｌ  Ｄｉｓｐｌａｙ）からなり、ＳＩＰプロキシサーバ１が保有する情報、例えば識別情報記憶部７に記憶されている識別情報、機器設定情報等を表示する。補助記憶装置１１は、ハードディスク装置などで構成され、後述する通信管理情報を蓄積する。
【００１７】
上記構成を備えるＳＩＰプロキシサーバ１は、ＳＩＰプロキシサーバ本来の機能、例えばＳＩＰメッセージの転送等のほか、ＨＴＴＰサーバ機能を備える。したがって、ＨＴＴＰクライアントからＵＲＬ（Uniform  Resource  Locators）を指定したファイルの要求があった場合には、当該ＵＲＬのＨＴＭＬ（Hypertext  Markup  Language）ファイルなどを返信する。
【００１８】
ＬＡＮ２内のＳＩＰ通信装置４、ＬＡＮ２外のＳＩＰ通信装置３０は、ＳＩＰによりメディアセッションを確立した上で画像データ等のデータ通信を行うＳＩＰ通信機能等を備える。ＳＩＰ通信機能においては、ＳＩＰによりメディアセッションを確立して、音声通信（いわゆるＩＰ電話通信）と画像データの通信（いわゆるＩＰファクシミリ通信）を行うことができるようになっている。なお、ＳＩＰ通信装置４は、ＳＩＰによりメディアセッションを確立して音声データ、画像データ等を送受信するために必要なプロトコルとして、例えばＲＴＰ（Real-time  Transport  Protocol）、ＳＤＰ（Session  Description  Protocol）なども実装している。
【００１９】
また、ＳＩＰ通信装置４、３０は、相手先へ送信するＳＩＰメッセージの所定箇所に、本実施の形態では、ＳＤＰヘッダの「ｓ」フィールドに、識別情報を記述する手段を有する。識別情報は例えば文字列からなり、ＳＩＰプロキシサーバ１に予め登録されている識別情報と同じ識別情報から始まる文字列を記述することにより、当該ＳＩＰ通信の通信管理情報をＳＩＰプロキシサーバに記録保存させることができるようになっている。
【００２０】
本実施の形態では、ＳＩＰ通信装置４、３０には、識別情報として例えば「ＳＥＳＳＩＯＮ  ＴＲＡＣＥ１  ＯＮ」又は「ＳＥＳＳＩＯＮ  ＴＲＡＣＥ２  ＯＮ」が登録されている。ＳＩＰ通信装置４、３０は、通信開始要求のＳＩＰメッセージである「ＩＮＶＩＴＥ」メッセージ内のＳＤＰヘッダ「ｓ」フィールドに、登録されている前記識別情報を自動的に記述し、さらに、セッションごとに異なるセッションＩＤを前記識別情報に続けて記述するようになっている。また、ＳＩＰ通信装置４、３０は、前記識別情報の「ＩＮＶＩＴＥ」メッセージ内への記述を、設定により又はＳＩＰ通信による送信開始操作等により、行わないようにする手段をも有する。したがって、発呼側のユーザは、必要なときにのみＳＩＰプロキシサーバ１に対して当該ＳＩＰ通信の通信管理情報の記録保存をさせることができる。なお、ＳＩＰ通信装置４、３０が、登録された識別情報を記述するＳＤＰのヘッダの「ｓ」フィールドは識別情報の記述場所の一例である。ＳＤＰヘッダの「ｓ」フィールドのように、メディアセッションの確立に際して使用されないフィールドであれば、これ以外の箇所に識別情報が記述され、ＳＩＰプロキシサーバにより、当該箇所が検出されるようにしてもよい。
【００２１】
ＬＡＮ２に接続されたクライアントＰＣ５は、例えば、パーソナルコンピュータ等のコンピュータにＯＳ（オペレーティングシステム）、ブラウザ等が組み込まれてなるものである。
【００２２】
以下、ＳＩＰプロキシサーバ１がＬＡＮ２外のＳＩＰ通信装置３０からＬＡＮ２内のＳＩＰ通信装置４宛の「ＩＮＶＩＴＥ」メッセージ、又は、ＬＡＮ２内のＳＩＰ通信装置４からＬＡＮ２外のＳＩＰ通信装置３０宛の「ＩＮＶＩＴＥ」メッセージを受信して転送する際に実行する処理動作について図３のフローチャートに基づいて説明する。
【００２３】
ＳＩＰプロキシサーバ１は、通信開始要求である「ＩＮＶＩＴＥ」メッセージを受信すると（Ｓ１：ＹＥＳ）、「ＩＮＶＩＴＥ」メッセージ内のＳＤＰヘッダの「ｓ」フィールドから所定の識別情報、つまり、ＳＩＰプロキシサーバ１に予め登録されている識別情報である「ＳＥＳＳＩＯＮ  ＴＲＡＣＥ１  ＯＮ」、「ＳＥＳＳＩＯＮ  ＴＲＡＣＥ２  ＯＮ」等の検出を試みる。
【００２４】
例えば図３に示すように、「ＩＮＶＩＴＥ」メッセージＭ内の「ｓ」フィールドＭ２に自サーバ１に予め登録されている所定の識別情報が記述されており、ＳＩＰプロキシサーバ１がその識別情報を検出した場合、それを通信管理情報の記録指示とみなす（Ｓ２：ＹＥＳ）。ここで通信管理情報は、発呼側ＳＩＰ通信装置及び被呼側ＳＩＰ通信装置の宛先情報（電話番号、ＩＰアドレス等）、通信開始日時、通信時間、通信結果、前記識別情報、セッションＩＤである。勿論、これら以外の当該通信に関する情報を通信管理情報として適用してもよい。
【００２５】
受信した「ＩＮＶＩＴＥ」メッセージ内のＳＤＰヘッダ「ｓ」フィールドから所定の識別情報を検出し通信管理情報の記録指示があるとみなした場合（Ｓ２：ＹＥＳ）、当該「ＩＮＶＩＴＥ」メッセージに係る通信の通信管理情報の記録を開始する（Ｓ３）。すなわち、「ＩＮＶＩＴＥ」メッセージのやり取りから開始される通信についての通信管理情報の記録を開始するとともに、「ＩＮＶＩＴＥ」メッセージをその宛先となっているＳＩＰ通信装置４又は３０へ転送する（Ｓ４）。そして、その他のＳＩＰメッセージ、「２００  ＯＫ」、「ＡＣＫ」等の転送を行った後、発呼側ＳＩＰ通信装置３０又は４と被呼側ＳＩＰ通信装置４又は３０の間でメディアセッションが確立され、音声データや画像データ等のデータ通信が開始される（Ｓ５）。
【００２６】
ＳＩＰプロキシサーバ１は、各種通信管理情報を、例えば、以下のようにして取得し記録する。すなわち、ＳＩＰプロキシサーバ１は、発呼側及び被呼側ＳＩＰ通信装置の宛先情報として、例えば「Ｆｒｏｍ：」ヘッダ、「Ｔｏ：」ヘッダに記述された情報を抽出し記録する。通信開始日時としては、例えば「ＩＮＶＩＴＥ」メッセージを転送した日時或いはメディアセッションが確立された日時を記録する。通信時間としては、通信開始日時からメディアセッションが終了した日時までを計時して通信時間として記録する。通信結果については、例えば、発呼側と被呼側のＳＩＰ通信装置間でＳＩＰメッセージによりエラーコードのやり取りが行われた場合に「エラー」を記録し、エラーコードのやり取りが行われなかった場合に「ＯＫ」を記録する。識別情報については、Ｓ２で検出した識別情報「ＳＥＳＳＩＯＮ  ＴＲＡＣＥ１  ＯＮ」等を識別情報として記録する。セッションＩＤについては、Ｓ２で検出した識別情報に「ＳＩＤ＝」が付加されている場合に、これに続けて記述されている文字列をセッションＩＤとして記録する。
【００２７】
データ通信が終了し、ＳＩＰプロキシサーバ１が、発呼側ＳＩＰ通信装置３０又は４から被呼側ＳＩＰ通信装置４又は３０へセッション終了要求「ＢＹＥ」を転送し、その応答メッセージ「２００  ＯＫ」を被呼側ＳＩＰ通信装置４又は３０から発呼側ＳＩＰ通信装置３０又は４へ転送した場合、ＳＩＰ通信装置間で確立されていたメディアセッションが終了する（Ｓ６）。ＳＩＰプロキシサーバ１は、メディアセッションが終了すると、通信管理情報の記録をも併せて終了し（Ｓ７）、例えば図３に示すような記録した通信管理情報Ｔ１を補助記憶装置１１に蓄積保存する（Ｓ８）。
【００２８】
ＳＩＰプロキシサーバ１は、図４に示すように、記録した通信管理情報Ｔ１を通信管理情報テーブルＴに格納して補助記憶装置１１において蓄積保存する。テーブルＴは、「発呼側電話番号」欄、「被呼側電話番号」欄、「日時」欄、「通信時間」欄、「結果」欄、「識別情報」欄及び「ＳＩＤ」欄を有し、ＳＩＰプロキシサーバ１は、記録した各種通信管理情報をこれらの欄に格納する。すなわち、「発呼側電話番号」欄には、発呼側ＳＩＰ通信装置の宛先情報（ＩＰ電話番号、ＩＰアドレス、ドメイン名等）が格納される。「被呼側電話番号」欄には、被呼側ＳＩＰ通信装置の宛先情報（ＩＰ電話番号、ＩＰアドレス、ドメイン名等）が格納される。「日時」欄には通信開始日時が格納される。「通信時間」欄には通信時間が格納される。「識別情報」欄にはＳＤＰヘッダ「ｓ」フィールドに記述されていた識別情報が格納される。「結果」欄には通信結果が格納される。「ＳＩＤ」欄には、セッションＩＤが格納される。
【００２９】
一方、前記Ｓ２において、ＳＩＰプロキシサーバ１が所定の識別情報を検出できなかった場合、通信管理情報の記録の指示がないものとみなす（Ｓ２：ＮＯ）。そして、発呼側ＳＩＰ通信装置３０又は４から受信した「ＩＮＶＩＴＥ」メッセージをその宛先となっているＳＩＰ通信装置４又は３０へ転送し（Ｓ９）、「２００  ＯＫ」、「ＡＣＫ」等の転送を行った後、発呼側ＳＩＰ通信装置３０又は４と被呼側ＳＩＰ通信装置４又は３０の間でメディアセッションが確立され、データ通信が行われる（Ｓ１０）。
【００３０】
つぎに、ＳＩＰプロキシサーバ１に蓄積された通信管理情報を外部装置、例えばクライアントＰＣ５から参照する場合について説明する。ＳＩＰプロキシサーバ１は、前述のようにして蓄積した通信管理情報をＷＥＢブラウザが組み込まれたクライアントＰＣ等からの要求に応じて提供する機能を備える。該機能について、図５に示すフローチャートに基づいて説明する。なお、以下の説明では、ＬＡＮ２に接続されているクライアントＰＣ５からＳＩＰプロキシサーバ１に蓄積されている通信管理情報を参照する場合を例に挙げて説明するが、ブラウザが組み込まれた通信装置であれば、ＬＡＮ２外に接続された通信装置からも参照することが可能である。
【００３１】
クライアントＰＣ５において、ユーザがブラウザ上で通信管理情報を参照するために所定の入力フォームに割り当てられているＵＲＬを指定すると、ブラウザを通じて例えば当該ＵＲＬを指定したＨＴＴＰコマンド「ＧＥＴ」がＳＩＰプロキシサーバ１へ送信される。ＳＩＰプロキシサーバ１は、前記ＵＲＬを指定したＨＴＴＰコマンドを受信すると（Ｓ１０１：ＹＥＳ）、例えば図６に示すような入力フォームのＨＴＭＬファイルをクライアントＰＣ５へ送信する（Ｓ１０２）。図６に例示する入力フォームには、宛先情報入力欄３１、識別情報入力欄３２、セッションＩＤ入力欄３３、送信ボタン３４、取消ボタン３５等が組み込まれている。宛先情報入力欄３１には、ＩＰ電話番号、ＩＰアドレス等のＳＩＰ通信装置の宛先情報が入力指定される。識別情報入力欄には、通信の識別情報、つまり、「ＳＥＳＳＩＯＮ  ＴＲＡＣＥ１  ＯＮ」等の識別情報が入力指定される。セッションＩＤ入力欄３２は、前記したセッションＩＤが入力指定される。
【００３２】
クライアントＰＣ５が前記入力フォームのＨＴＭＬファイルを受信すると、ブラウザを通じて図６に示すような画面をクライアントＰＣ５のモニタに表示する。クライアントＰＣ５のユーザの必要に応じて、該入力フォームの画面上から各欄の入力がなされ、送信ボタン３４が選択されると、入力された情報がＳＩＰプロキシサーバ１に対して送信される。取消ボタン３５が選択されると、取消要求がＳＩＰプロキシサーバ１に対して送信される。
【００３３】
ＳＩＰプロキシサーバ１は、クライアントＰＣ５から入力フォームを通じて取消要求を受信した場合（Ｓ１０３：ＮＯ）、一連の処理動作を終了する。一方、ＳＩＰプロキシサーバ１は、クライアントＰＣ５から入力フォームを通じて入力指定された情報或いは送信ボタンが押されたことを示す情報のみを受信した場合、通信管理情報参照要求（通信管理情報出力要求）があったものと判断する（Ｓ１０３：ＹＥＳ）。ＳＩＰプロキシサーバ１は、入力フォームの各欄３１乃至３３に入力指定された情報を受付けた場合には（Ｓ１０４：ＹＥＳ）、蓄積している通信管理情報テーブルＴから当該受付けた情報を含むレコード（当該受付けた情報に関連する通信管理情報）を抽出する（Ｓ１０５）。具体的には、ＳＩＰプロキシサーバ１は、宛先情報、識別情報及びセッションＩＤを受付けた場合には、それら全てを含む通信管理情報（レコード）を抽出する。また、ＳＩＰプロキシサーバ１は、宛先情報、識別情報及びセッションＩＤのうち何れか２つの情報を受付けた場合は、当該受付けた２つの情報を含む全ての通信管理情報（レコード）を抽出し、宛先情報、識別情報及びセッションＩＤのうち何れか１つの情報を受付けた場合は、当該受付けた１つの情報を含む通信管理情報（レコード）を抽出する。
【００３４】
一方、クライアントＰＣ５において、入力フォームの何れの欄３１乃至３３にも情報が入力指定されず、送信ボタン３４だけが選択されたことにより、ＳＩＰプロキシサーバ１が宛先情報、識別情報、セッションＩＤ等の情報を受付けなかった場合には（Ｓ１０４：ＮＯ）、蓄積している通信管理情報テーブルＴから全てのレコードを抽出する（Ｓ１０６）。
【００３５】
ＳＩＰプロキシサーバ１は、前記Ｓ１０５又はＳ１０６の抽出処理を行った後、抽出したレコードを纏めた通信管理情報リストのＨＴＭＬファイルを生成し（Ｓ１０７）、これを要求元である前記クライアントＰＣ５のブラウザへ送信（出力）する（Ｓ１０８）。
【００３６】
以上の説明から明らかなように、本発明の実施の形態に係るＳＩＰプロキシサーバ１によれば、ＳＩＰ通信装置において送信する「ＩＮＶＩＴＥ」のＳＤＰヘッダ「ｓ」フィールドに「ＳＥＳＳＩＯＮ  ＴＲＡＣＥ１  ＯＮ」等が記述されることで、当該ＳＩＰ通信の通信管理情報をＳＩＰプロキシサーバにおいて記録蓄積させることができる。これにより、ＳＩＰプロキシサーバが管轄するネットワークエリア内外のＳＩＰ通信装置間で行われる通信のうち、ユーザ等が希望する特定の通信についての通信管理情報を取得することができるので、特定のＳＩＰ通信の通信管理情報をネットワーク単位で一元管理することが可能となる。また、ブラウザが組み込まれた端末装置であれば、どこからでも、ＳＩＰプロキシサーバに蓄積された通信管理情報を参照することができる。さらに、特定のＳＩＰ通信装置に関連する通信管理情報や特定の識別情報、セッションＩＤを含む通信管理情報だけを参照することもできるので、ユーザの利用目的に応じた通信管理情報だけを取得することができ、便利である。
【００３７】
また、発呼側ＳＩＰ通信装置においては、ＳＩＰメッセージのＳＤＰヘッダ「ｓ」フィールドに所定の識別情報を記述するか否かにより、ＳＩＰプロキシサーバ１に対して当該ＳＩＰ通信の通信管理情報の記録蓄積を行わせたり行わせなかったりすることができるので、発呼側ＳＩＰ通信装置のユーザは、選択的に特定の通信に関する通信管理情報のみをＳＩＰプロキシサーバ１に記録蓄積させることができる。
【００３８】
次に本発明の第２の実施の形態に係るＳＩＰプロキシサーバについて説明する。このＳＩＰプロキシサーバは、特定のＳＩＰ通信装置４が行うＳＩＰ通信のみについて通信管理情報を記録する機能を備えるものである。この機能を実現するために、第２の実施の形態に係るＳＩＰプロキシサーバは、予め、特定のＳＩＰ通信装置４の宛先情報（ＩＰ電話番号、ＩＰアドレス等）を登録する手段を有しており、受信転送するＳＩＰメッセージから前記登録された宛先情報を検出した場合に限り、当該ＳＩＰメッセージに係る通信の通信管理情報を記録する。すなわち、図７のフローチャートに示すように、第２の実施の形態に係るＳＩＰプロキシサーバは、Ｓ２において肯定判断をした後（Ｓ２：ＹＥＳ）、登録された宛先情報がＩＮＶＩＴＥメッセージの「Ｆｒｏｍ：」ヘッダ又は「Ｔｏ：」ヘッダに記述されていると判断した場合に（Ｓ２０１：ＹＥＳ）、処理をＳ３に移して通信管理情報の記録を行いながらデータ通信を成立させる。一方、ＳＩＰプロキシサーバは、登録された宛先情報がＩＮＶＩＴＥメッセージ内に記述されていないと判断した場合（Ｓ２０１：ＮＯ）、処理をＳ９へ移して通信管理情報の記録を行わずにデータ通信を成立させる。なお、前記Ｓ２０１の判断は、Ｓ１の後Ｓ２の前に行い、Ｓ２０１で肯定判断をした場合に（Ｓ２０１：ＹＥＳ）、処理をＳ２へ移行し、否定判断をした場合に（Ｓ２０１：ＮＯ）処理をＳ９へ移行するようにしてもよい。
【００３９】
次に本発明の第３の実施の形態に係るＳＩＰプロキシサーバについて説明する。このＳＩＰプロキシサーバは、特定のメディアタイプ（例えば画像データ）についてのＳＩＰ通信のみについて通信管理情報を記録する機能を備えるものである。この機能を実現するために、第３の実施の形態に係るＳＩＰプロキシサーバは、予め、特定のメディアタイプ（例えば画像データを示す情報）を登録する手段を有しており、転送するＳＩＰメッセージのＳＤＰヘッダの所定フィールド、例えば「ｍ」フィールド、から前記登録されたメディアタイプを検出した場合に限り、当該ＳＩＰメッセージに係る通信の通信管理情報を記録する。すなわち、図８のフローチャートに示すように、第３の実施の形態に係るＳＩＰプロキシサーバは、Ｓ２において肯定判断をした後（Ｓ２：ＹＥＳ）、登録されたメディアタイプがＩＮＶＩＴＥメッセージのＳＤＰヘッダの「ｍ」フィールドに記述されていると判断した場合に（Ｓ３０１：ＹＥＳ）、処理をＳ３に移して通信管理情報の記録を行いながらデータ通信を成立させる。一方、ＳＩＰプロキシサーバは、登録されたメディアタイプが記述されていないと判断した場合に（Ｓ３０１：ＮＯ）、処理をＳ９へ移して通信管理情報の記録を行わずにデータ通信を成立させる。なお、Ｓ３０１の判断は、Ｓ１の後Ｓ２の前に行い、Ｓ３０１で肯定判断をした場合に（Ｓ３０１：ＹＥＳ）、処理をＳ２へ移行し、否定判断をした場合に（Ｓ３０１：ＮＯ）処理をＳ９へ移行するようにしてもよい。第３の実施の形態に係るＳＩＰプロキシサーバによれば、例えば、ＳＩＰ通信装置４がＩＰ電話とＩＰファクシミリの機能を併せ持つものである場合に、ＩＰファクシミリ通信だけを対象として通信管理情報を記録し残すことが可能となる。
【００４０】
以上説明した本発明の実施の形態においては、ＳＩＰプロキシサーバ１が管轄するネットワークエリアとして１つのＬＡＮ２を例に挙げて説明したが、ＳＩＰプロキシサーバ１がＳＩＰメッセージの転送等を管轄するネットワークのエリア内であれば、ネットワークの形態はこれに限定されない。例えばＳＩＰプロキシサーバが複数のＬＡＮを管轄するものであれば、ＳＩＰプロキシサーバ１が管轄するネットワークエリアは、当該複数のＬＡＮとなる。
【００４１】
また、本実施の形態においては、所定の識別情報として「ＳＥＳＳＩＯＮ  ＴＲＡＣＥ１  ＯＮ」等で始まる文字列を例に挙げて説明したが、勿論、これ以外の文字列を所定の識別情報としてもよい。また、本実施の形態では、外部装置からＳＩＰプロキシサーバ１に記録蓄積された通信管理情報の参照手段として、ＨＴＴＰ通信、ＨＴＭＬファイル、ブラウザ等を例に挙げて説明したが、参照手段としての通信プロトコル、ファイル形式、ファイルビューア等はこれらに限定されない。
【産業上の利用可能性】
【００４２】
本発明は、例えば、ＬＡＮに接続されたＳＩＰ通信装置を管轄するＳＩＰプロキシサーバに適用することができる。
【図面の簡単な説明】
【００４３】
【図１】本発明の実施の形態に係るＳＩＰプロキシサーバが設置されるＬＡＮ（ネットワークエリア）等を示した図である。
【図２】本発明の実施の形態に係るＳＩＰプロキシサーバの構成例を示した図である。
【図３】本発明の第１の実施の形態に係るＳＩＰプロキシサーバが通信開始要求を転送する際に実行する処理動作を示したフローチャートである。
【図４】本発明の実施の形態に係るＳＩＰプロキシサーバに記録蓄積された通信管理情報を格納した通信管理情報テーブルの一例を示した図である。
【図５】本発明の実施の形態に係るＳＩＰプロキシサーバが入力フォームの要求、通信管理情報の参照要求等を外部装置から受信した場合に実行する処理動作を示したフローチャートである。
【図６】外部装置に送信される入力フォームの一例を示した図である。
【図７】本発明の第２の実施の形態に係るＳＩＰプロキシサーバが通信開始要求を転送する際に実行する処理動作を示したフローチャートである。
【図８】本発明の第３の実施の形態に係るＳＩＰプロキシサーバが通信開始要求を転送する際に実行する処理動作を示したフローチャートである。
【符号の説明】
【００４４】
Ｔ、Ｔ１    テーブル（通信管理情報）
Ｍ    ＳＩＰメッセージ
１    ＳＩＰプロキシサーバ
２    ＬＡＮ（ネットワークエリア）
４    ＬＡＮ内のＳＩＰ通信装置
５    クライアントＰＣ
６    制御部
８    識別情報記憶部
３０    ＬＡＮ外のＳＩＰ通信装置
【図１】
2006303576.tif 000003
【図２】
2006303576.tif 000004
【図３】
2006303576.tif 000005
【図４】
2006303576.tif 000006
【図５】
2006303576.tif 000007
【図６】
2006303576.tif 000008
【図７】
2006303576.tif 000009
【図８】
2006303576.tif 000010